(57)【要約】【課題】  ユーザの作画意図を最大限に汲み取りつつ、可能な限り最適な合焦状態としてフィルム画像をデジタル画像信号に変換できるようにする。【解決手段】  フィルムＦ上に現像されたフィルム画像を電子的に撮像するにあたり、ユーザがフィルム画像に特定の合焦域を定める。画像入力システムは、この合焦域を含む領域から所定のコンデション評価値を取得し、コンデション評価値から、前記撮像動作において前記特定の合焦域に基づいて合焦動作を行うことの妥当性を判定する合焦コンデション判定を行う合焦調整部２２０を備える。合焦調整部２２０では、赤外線透過率、コントラスト、輝度及びフィルムのカール状態に基づき合焦コンデション判定がなされ、少なくとも前記特定の合焦域が合焦コンデション判定において不適切と判定された場合に、当該不適切判定結果を警告表示する構成とされている。【選択図】      図３
2006115210.tif 000002
【特許請求の範囲】
【請求項１】
フィルム上に現像されたフィルム画像を電子的に撮像する撮像動作を行い、得られた画像データを記録するにあたり、
前記フィルム画像に特定の合焦域を定め、該合焦域を含む領域から所定のコンデション評価値を取得し、
前記コンデション評価値から、前記撮像動作において前記特定の合焦域に基づいて合焦動作を行うことの妥当性を判定する合焦コンデション判定を行い、
少なくとも前記合焦コンデション判定において不適切と判定された場合に、当該不適切判定結果を警告表示することを特徴とする画像入力方法。
【請求項２】
前記コンデション評価値は、下記（１）〜（３）の評価値群から選ばれる少なくとも１以上の評価値であって、前記合焦コンデション判定は、この選ばれた評価値に基づいて行われることを特徴とする請求項１記載の画像入力方法。
（１）特定の合焦域における所定の試験光の透過率
（２）特定の合焦域とその隣接域とのコントラスト
（３）特定の合焦域における輝度
【請求項３】
前記コンデション評価値は、フィルムの主走査方向及び副走査方向のカール状態情報であり、
検出されたカール状態情報に基づいて、前記特定の合焦域に基づいて合焦動作を行って前記撮像動作を実行させた場合の、前記合焦域以外の領域の合焦度合いを評価する合焦評価を行い、
少なくとも前記合焦評価において不適切と判定された場合に、当該不適切判定結果を警告表示することを特徴とする請求項１記載の画像入力方法。
【請求項４】
フィルム上に現像されたフィルム画像を電子的に撮像する撮像手段と、前記画像の撮像時における合焦動作を制御する合焦制御手段と、前記撮像手段により撮像された画像を表示する表示手段と、撮像した画像信号を記録する記憶手段と、撮像動作を制御する制御部と、所定の合焦調整を行う合焦調整部とを具備する画像入力システムにおいて、
前記合焦調整部は、
前記フィルム画像内に定められた特定の合焦域を含む領域から所定のコンデション評価値を取得し、前記コンデション評価値から、前記撮像動作において前記特定の合焦域に基づいて合焦動作を行うことの妥当性を判定する合焦コンデション判定部と、
少なくとも前記合焦コンデション判定部において不適切と判定された場合に、当該不適切判定結果を警告表示する警告表示部と
を具備することを特徴とする画像入力システム。
【請求項５】
前記合焦コンデション判定部は、前記特定の合焦域における所定の試験光の透過率を前記コンデション評価値として求め、前記所定の試験光の透過率に基づいて合焦コンデション判定を行う試験光透過率判定部を具備することを特徴とする請求項４記載の画像入力システム。
【請求項６】
前記合焦コンデション判定部は、前記特定の合焦域とその隣接域とのコントラストを前記コンデション評価値として求め、前記コントラストに基づいて合焦コンデション判定を行うコントラスト判定部を具備することを特徴とする請求項４記載の画像入力システム。
【請求項７】
前記合焦コンデション判定部は、特定の合焦域における輝度を前記コンデション評価値として求め、前記輝度に基づいて合焦コンデション判定を行う輝度判定部を具備することを特徴とする請求項４記載の画像入力システム。
【請求項８】
前記合焦調整部は、前記フィルムのカール状態に由来する合焦情報処理を行うカール状態判定部を備え、該カール状態判定部は、
コンデション評価値として、前記フィルムの主走査方向及び副走査方向のカール状態情報を検出するカール状態検出部と、
検出されたカール状態情報に基づいて、前記特定の合焦域に基づいて合焦動作を行って前記撮像動作を実行させた場合の、前記合焦域以外の領域の合焦度合いを評価する前記合焦評価部と、
少なくとも前記合焦評価部において不適切と判定された場合に、当該不適切判定結果を警告表示する警告表示部と
を備えることを特徴とする請求項４記載の画像入力システム。
【請求項９】
前記合焦調整部は、前記合焦コンデション判定部及び／又は前記合焦評価部において不適切と判定された場合に、適切な合焦域を定めて表示する推奨合焦域表示部を備えていることを特徴とする請求項４〜８のいずれかに記載の画像入力システム。
【請求項１０】
前記合焦調整部は、前記合焦コンデション判定部及び／又は前記合焦評価部において不適切と判定された場合に、合焦域の再設定を受け付ける合焦域設定部を備えていることを特徴とする請求項４〜９のいずれかに記載の画像入力システム。
【請求項１１】
フィルム上に現像されたフィルム画像を電子的に撮像する撮像手段と、前記画像の撮像時における合焦動作を制御する合焦制御手段と、前記撮像手段により撮像された画像を表示する表示手段と、撮像した画像信号を記録する記憶手段と、撮像動作を制御する制御部と、所定の合焦調整を行う合焦調整部とを具備する画像入力システムにおいて、
前記合焦調整部は、
前記フィルム画像内に定められた特定の合焦域を含む領域から所定のコンデション評価値を取得し、前記コンデション評価値から、前記撮像動作において前記特定の合焦域に基づいて合焦動作を行うことの妥当性を判定する合焦コンデション判定部と、
少なくとも前記合焦コンデション判定部において不適切と判定された場合に、当該不適切判定結果を警告表示する警告表示部とを備え、
前記合焦コンデション判定部は、
前記特定の合焦域における所定の試験光の透過率を前記コンデション評価値として求め、前記所定の試験光の透過率に基づいて合焦コンデション判定を行う試験光透過率判定部と、
前記特定の合焦域とその隣接域とのコントラストを前記コンデション評価値として求め、前記コントラストに基づいて合焦コンデション判定を行うコントラスト判定部と、
特定の合焦域における輝度を前記コンデション評価値として求め、前記輝度に基づいて合焦コンデション判定を行う輝度判定部と、
前記試験光透過率判定部、コントラスト判定部及び輝度判定部の判定結果に基づいて合焦コンデションを総合的に判定するコンデション総合判定部と
を具備することを特徴とする画像入力システム。
【請求項１２】
フィルム上に現像されたフィルム画像を電子的に撮像する撮像手段と、前記画像の撮像時における合焦動作を制御する合焦制御手段と、前記撮像手段により撮像された画像を表示する表示手段と、撮像した画像信号を記録する記憶手段と、撮像動作を制御する制御部と、所定の合焦調整を行う合焦調整部とを具備する画像入力システムの動作プログラムであって、前記合焦調整部に、
前記フィルム画像に対して特定の合焦域の設定を受け付けるステップと、
前記合焦域を含む領域から下記（１）〜（３）の評価値群から選ばれる少なくとも１以上のコンデション評価値を取得するステップと、
前記コンデション評価値から、前記撮像動作において前記特定の合焦域に基づいて合焦動作を行うことの妥当性を判定する合焦コンデション判定を行うステップと、
少なくとも前記合焦コンデション判定ステップにおいて不適切と判定された場合に、当該不適切判定結果を警告表示するステップと
を含むステップを実行させるための画像入力システム用動作プログラム。
（１）特定の合焦域における所定の試験光の透過率
（２）特定の合焦域とその隣接域とのコントラスト
（３）特定の合焦域における輝度
【請求項１３】
前記合焦コンデション判定を行うステップにおいて、判定対象の合焦域が適切と判定された場合において、
前記フィルムのカール状態情報を検出するステップと、
検出されたカール状態情報に基づいて、前記合焦コンデション判定において適切と判定された合焦域に基づいて合焦動作を行って前記撮像動作を実行させた場合の、前記合焦域以外の領域の合焦度合いを評価する合焦評価を行うステップと、
少なくとも前記合焦評価において不適切と判定された場合に、当該不適切判定結果を警告表示するステップと
を実行させることを特徴とする請求項１２記載の画像入力システム用動作プログラム。
【発明の詳細な説明】
【技術分野】
【０００１】
本発明は、フィルム上に現像されたフィルム画像を電子的に撮像し、デジタル画像信号に変換して記録するための画像入力方法、画像入力システム及びその動作プログラムに関するものである。
【背景技術】
【０００２】
従来、コンピュータの周辺装置として、３５mmネガフィルム等のコマ画像（フィルム画像）を、例えばＣＣＤ（Charge Coupled Device）からなるラインセンサにて撮像し、この撮像した画像信号をデジタルデータに変換すると共に信号処理してコンピュータに転送するフィルムスキャナシステム（画像入力システム）が知られている。また、同様の機能を備え、フィルム画像を電子画像に変換するラボ機等も知られている。
【０００３】
この種のフィルムスキャナシステムやラボ機等においては、フィルム画像を精度良く読み取るために、合焦制御（オートフォーカス制御）機構が一般に備えられている。このような合焦制御機構として、例えば特許文献１には、フィルム画像をプレスキャンして画像データを取得し、該画像データに基づいてフィルム画像の高コントラスト部や主要部（合焦制御に適した合焦位置）の位置探知を自動的に行い、探知された前記合焦位置に従って合焦制御を行う方法が開示されている。
【０００４】
さらに、フィルム画像の読み取りに際しては、読み取り対象フィルムのカール（反り）にも留意する必要がある。すなわち、フィルムがカールしているとフィルム画像全体にわたって良好な合焦状態が得られないからである。この問題を解決する手法として、例えば特許文献２には、フィルムのカール状態を判定し、フィルムにそのようなカールが存在している状況下において、フィルム画像全体として最も合焦状態が良好な合焦位置を自動的に探知し、かかるフォーカス位置に従って合焦制御を行う方法が開示されている。
【特許文献１】特開平１１−１６４１００号公報
【特許文献２】特開２０００−８９３７４号公報
【発明の開示】
【発明が解決しようとする課題】
【０００５】
上記のようなフィルム画像の読み取りにおいて、ユーザの作画意図によりマッチした画像読み取りを実現するために、合焦位置をユーザが好みに応じて自在に選定できるようにすることが望ましい。しかしながら、上記特許文献１又は特許文献２の方法では、合焦位置を自動的に探知し当該合焦位置に基づき合焦制御を行う構成であるので、ユーザが好みの合焦位置を設定する方式には本質的に迎合しない。仮に、このような合焦制御機構を備える画像入力システムにおいて、ユーザが合焦位置を設定した場合、当該合焦位置に塵埃が付着していたり、コントラストや輝度が不足していたりすると良好なフィルム画像の読み取りができなくなるという問題がある。
【０００６】
従って本発明は、ユーザの作画意図を最大限に汲み取りつつ、可能な限り最適な合焦状態としてフィルム画像をデジタル画像信号に変換することができる画像入力方法、画像入力システム及びその動作プログラムを提供することを目的とする。
【課題を解決するための手段】
【０００７】
本発明の画像入力方法は、フィルム上に現像されたフィルム画像を電子的に撮像する撮像動作を行い、得られた画像データを記録するにあたり、前記フィルム画像に特定の合焦域を定め、該合焦域を含む領域から所定のコンデション評価値を取得し、前記コンデション評価値から、前記撮像動作において前記特定の合焦域に基づいて合焦動作を行うことの妥当性を判定する合焦コンデション判定を行い、少なくとも前記合焦コンデション判定において不適切と判定された場合に、当該不適切判定結果を警告表示することを特徴とする（請求項１）。
【０００８】
この方法によれば、特定の合焦域（例えばユーザが指定した合焦域）から所定のコンデション評価値（例えば塵埃存在の有無、コントラスト、輝度情報或いはフィルムのカール情報など）を取得して合焦コンデション判定をするので、当該特定の合焦域が合焦動作（マニュアル合焦調整又はオート合焦調整など）に適しているかを事前に把握することができる。そして、前記合焦コンデション判定において不適切と判定された場合に、その旨を警告表示するので、ユーザは当該特定の合焦域にて合焦調整を行うと期待する画像読み取りができるか否かを識別できるようになる。
【０００９】
上記構成において、前記コンデション評価値は、下記（１）〜（３）の評価値群から選ばれる少なくとも１以上の評価値であって、前記合焦コンデション判定は、この選ばれた評価値に基づいて行われるようにすることが望ましい（請求項２）。
（１）特定の合焦域における所定の試験光の透過率
（２）特定の合焦域とその隣接域とのコントラスト
（３）特定の合焦域における輝度
この方法によれば、上記（１）の評価値により合焦域における塵埃等の付着状況が把握でき、上記（２）の評価値により合焦域のコントラスト情報が把握でき、さらに上記（３）の評価値により合焦域の輝度情報を把握することができる。従って、合焦適正をこれらの評価値に基づいて的確に判定できるようになる。
【００１０】
さらに上記構成において、前記コンデション評価値は、フィルムの主走査方向及び副走査方向のカール状態情報であり、検出されたカール状態情報に基づいて、前記特定の合焦域に基づいて合焦動作を行って前記撮像動作を実行させた場合の、前記合焦域以外の領域の合焦度合いを評価する合焦評価を行い、少なくとも前記合焦評価において不適切と判定された場合に、当該不適切判定結果を警告表示することが望ましい（請求項３）。
【００１１】
この方法によれば、前記特定の合焦域が、フィルムの主走査方向及び副走査方向のカール状態を考慮した場合に、合焦動作を行わせるべき合焦域として適正かを事前に把握することができる。そして、前記合焦評価において不適切と判定された場合に、不適切である旨を警告表示するので、ユーザは当該特定の合焦域にて合焦調整を行うと期待する画像読み取りができるか否かを識別できるようになる。
【００１２】
本発明の画像入力システムは、フィルム上に現像されたフィルム画像を電子的に撮像する撮像手段と、前記画像の撮像時における合焦動作を制御する合焦制御手段と、前記撮像手段により撮像された画像を表示する表示手段と、撮像した画像信号を記録する記憶手段と、撮像動作を制御する制御部と、所定の合焦調整を行う合焦調整部とを具備する画像入力システムにおいて、前記合焦調整部は、前記フィルム画像内に定められた特定の合焦域を含む領域から所定のコンデション評価値を取得し、前記コンデション評価値から、前記撮像動作において前記特定の合焦域に基づいて合焦動作を行うことの妥当性を判定する合焦コンデション判定部と、少なくとも前記合焦コンデション判定部において不適切と判定された場合に、当該不適切判定結果を警告表示する警告表示部とを具備することを特徴とする（請求項４）。
【００１３】
この構成によれば、合焦コンデション判定部により、特定の合焦域から取得された所定のコンデション評価値に基づいて合焦コンデション判定を行うので、当該特定の合焦域が合焦動作に適しているかを事前に把握することができる。そして、前記合焦コンデション判定において不適切と判定された場合に、警告表示部により不適切である旨を警告表示する構成であるので、ユーザは、当該特定の合焦域にて合焦調整を行った場合に期待する画像読み取りができるか否かを識別できるようになる。
【００１４】
上記構成において、前記合焦コンデション判定部が、前記特定の合焦域における所定の試験光の透過率を前記コンデション評価値として求め、前記所定の試験光の透過率に基づいて合焦コンデション判定を行う試験光透過率判定部を具備する構成とすることが望ましい（請求項５）。この構成によれば、所定の試験光（例えば赤外光）の透過率に基づいて合焦域における塵埃等付着状況が把握でき、塵埃等付着に関する合焦適正を、この試験光透過率判定部の判定結果に基づいて的確に把握できるようになる。
【００１５】
上記構成において、前記合焦コンデション判定部が、前記特定の合焦域とその隣接域とのコントラストを前記コンデション評価値として求め、前記コントラストに基づいて合焦コンデション判定を行うコントラスト判定部を具備する構成とすることが望ましい（請求項６）。この構成によれば、合焦域におけるコントラスト情報が把握でき、コントラストに関する合焦適正を、このコントラスト判定部の判定結果に基づいて的確に把握できるようになる。
【００１６】
上記構成において、前記合焦コンデション判定部が、特定の合焦域における輝度を前記コンデション評価値として求め、前記輝度に基づいて合焦コンデション判定を行う輝度判定部を具備する構成とすることが望ましい（請求項７）。この構成によれば、合焦域における輝度情報が把握でき、輝度に関する合焦適正を、この輝度判定部の判定結果に基づいて的確に把握できるようになる。
【００１７】
上記構成において、前記合焦調整部は、前記フィルムのカール状態に由来する合焦情報処理を行うカール状態判定部を備え、該カール状態判定部は、コンデション評価値として、前記フィルムの主走査方向及び副走査方向のカール状態情報を検出するカール状態検出部と、検出されたカール状態情報に基づいて、前記特定の合焦域に基づいて合焦動作を行って前記撮像動作を実行させた場合の、前記合焦域以外の領域の合焦度合いを評価する前記合焦評価部と、少なくとも前記合焦評価部において不適切と判定された場合に、当該不適切判定結果を警告表示する警告表示部とを備える構成とすることが望ましい（請求項８）。
【００１８】
この構成によれば、先ずフィルムの主走査方向及び副走査方向のカール状態が、カール状態検出部により検出される。従って、フィルム全体のカール状態を把握することができる。次に前記合焦コンデション判定部として機能する合焦評価部により、前記特定の合焦域が、フィルムのそのようなカール状態を考慮した場合に、合焦動作を行わせるべき合焦域として適正かが判定される。そして、前記合焦評価部において不適切と判定された場合に、不適切である旨を警告表示部にて警告表示させるので、ユーザは、当該特定の合焦域にて合焦調整を行った場合に期待する画像読み取りができるか否かを識別できるようになる。
【００１９】
上記請求項４〜８のいずれかの構成において、前記合焦調整部は、前記合焦コンデション判定部及び／又は前記合焦評価部において不適切と判定された場合に、適切な合焦域を定めて表示する推奨合焦域表示部を備えていることが望ましい（請求項９）。この構成によれば、適切な合焦域に関する情報を表示できるので、例えばユーザが指定した合焦域の近傍において適切な合焦域が存在するような場合に、その情報をユーザに伝達できるようになる。
【００２０】
上記請求項４〜９のいずれかの構成において、前記合焦調整部は、前記合焦コンデション判定部及び／又は前記合焦評価部において不適切と判定された場合に、合焦域の再設定を受け付ける合焦域設定部を備えていることが望ましい（請求項１０）。この構成によれば、例えばユーザが指定した合焦域が不適正と判定されたような場合に、作画意図により近い合焦域を再設定できるようになる。
【００２１】
本発明の他の画像入力システムは、フィルム上に現像されたフィルム画像を電子的に撮像する撮像手段と、前記画像の撮像時における合焦動作を制御する合焦制御手段と、前記撮像手段により撮像された画像を表示する表示手段と、撮像した画像信号を記録する記憶手段と、撮像動作を制御する制御部と、所定の合焦調整を行う合焦調整部とを具備する画像入力システムにおいて、前記合焦調整部は、前記フィルム画像内に定められた特定の合焦域を含む領域から所定のコンデション評価値を取得し、前記コンデション評価値から、前記撮像動作において前記特定の合焦域に基づいて合焦動作を行うことの妥当性を判定する合焦コンデション判定部と、少なくとも前記合焦コンデション判定部において不適切と判定された場合に、当該不適切判定結果を警告表示する警告表示部とを備え、前記合焦コンデション判定部は、前記特定の合焦域における所定の試験光の透過率を前記コンデション評価値として求め、前記所定の試験光の透過率に基づいて合焦コンデション判定を行う試験光透過率判定部と、前記特定の合焦域とその隣接域とのコントラストを前記コンデション評価値として求め、前記コントラストに基づいて合焦コンデション判定を行うコントラスト判定部と、特定の合焦域における輝度を前記コンデション評価値として求め、前記輝度に基づいて合焦コンデション判定を行う輝度判定部と、前記試験光透過率判定部、コントラスト判定部及び輝度判定部の判定結果に基づいて合焦コンデションを総合的に判定するコンデション総合判定部とを具備することを特徴とする（請求項１１）。
【００２２】
この構成によれば、合焦調整部が、試験光透過率判定部、コントラスト判定部及び輝度判定部を具備すると共に、これら判定部の判定結果に基づいて合焦コンデションを総合的に判定するコンデション総合判定部が備えられているので、塵埃有無情報、コントラスト情報及び輝度情報を総合的に考慮した上で、合焦コンデション判定を行えるようになる。
【００２３】
本発明の画像入力システム用動作プログラムは、フィルム上に現像されたフィルム画像を電子的に撮像する撮像手段と、前記画像の撮像時における合焦動作を制御する合焦制御手段と、前記撮像手段により撮像された画像を表示する表示手段と、撮像した画像信号を記録する記憶手段と、撮像動作を制御する制御部と、所定の合焦調整を行う合焦調整部とを具備する画像入力システムの動作プログラムであって、前記合焦調整部に、前記フィルム画像に対して特定の合焦域の設定を受け付けるステップと、前記合焦域を含む領域から下記（１）〜（３）の評価値群から選ばれる少なくとも１以上のコンデション評価値を取得するステップと、前記コンデション評価値から、前記撮像動作において前記特定の合焦域に基づいて合焦動作を行うことの妥当性を判定する合焦コンデション判定を行うステップと、少なくとも前記合焦コンデション判定ステップにおいて不適切と判定された場合に、当該不適切判定結果を警告表示するステップとを含むステップを実行させるためのものである（請求項１２）。
（１）特定の合焦域における所定の試験光の透過率
（２）特定の合焦域とその隣接域とのコントラスト
（３）特定の合焦域における輝度
【００２４】
この場合、前記合焦コンデション判定を行うステップにおいて、判定対象の合焦域が適切と判定された場合において、前記フィルムのカール状態情報を検出するステップと、検出されたカール状態情報に基づいて、前記合焦コンデション判定において適切と判定された合焦域に基づいて合焦動作を行って前記撮像動作を実行させた場合の、前記合焦域以外の領域の合焦度合いを評価する合焦評価を行うステップと、少なくとも前記合焦評価において不適切と判定された場合に、当該不適切判定結果を警告表示するステップとを実行させるようにすることが望ましい（請求項１３）。
【発明の効果】
【００２５】
請求項１にかかる画像入力方法によれば、特定の合焦域が設定されている場合（例えばユーザが特定の合焦域を指定したような場合）に、当該特定の合焦域にて合焦調整を行ったときに期待する画像読み取りができるか否かを識別できるので、ユーザの作画意図を汲み取りつつ、可能な限り最適な合焦状態でフィルム画像の読み取りを行うことができる。
【００２６】
請求項２にかかる画像入力方法によれば、特定の合焦域の合焦コンデション判定を、塵埃等付着情報、コントラスト情報及び輝度情報という、合焦コンデション判定に不可欠な要素に基づいて的確に判定できるようになるので、コンデション判定誤りの発生を抑止できるようになる。
【００２７】
請求項３にかかる画像入力方法によれば、フィルムの一方向のカールだけではなく、フィルム全体のカール状態を考慮して、特定された合焦域が、合焦動作を行わせるべき合焦域として適正かを事前に把握することができるので、よりユーザの作画意図に近い画像読み取りが行えるようになる。
【００２８】
請求項４にかかる画像入力システムによれば、特定の合焦域が設定されている場合（例えばユーザが特定の合焦域を指定したような場合）に、合焦コンデション判定部によりその適正を判定すると共に、警告表示部でその判定結果を表示するので、当該特定の合焦域にて合焦調整を行うと期待する画像読み取りができるか否かにつき識別でき、ユーザの作画意図を汲み取りつつ、可能な限り最適な合焦状態でフィルム画像の読み取りを行うことができる。
【００２９】
請求項５にかかる画像入力システムによれば、所定の試験光（例えば赤外光）の透過率に基づいて合焦域における塵埃等付着状況が把握でき、塵埃等付着に関する合焦適正を、この試験光透過率判定部の判定結果に基づいて的確に把握できる。従って、合焦コンデション判定部における判定を的確に行えるようになる。
【００３０】
請求項６にかかる画像入力システムによれば、合焦域におけるコントラスト情報が把握でき、コントラストに関する合焦適正を、このコントラスト判定部の判定結果に基づいて的確に把握できる。従って、合焦コンデション判定部における判定を的確に行えるようになる。
【００３１】
請求項７にかかる画像入力システムによれば、合焦域における輝度情報が把握でき、輝度に関する合焦適正を、この輝度判定部の判定結果に基づいて的確に把握できる。従って、合焦コンデション判定部における判定を的確に行えるようになる。
【００３２】
請求項８にかかる画像入力システムによれば、カール状態判定部により、フィルム全体のカール状態を考慮して、特定された合焦域が、合焦動作を行わせるべき合焦域として適正かを事前に把握することができるので、よりユーザの作画意図に近い画像読み取りが行えるようになる。
【００３３】
請求項９にかかる画像入力システムによれば、例えばユーザが指定した合焦域の近傍において適切な合焦域が存在するような場合に、その情報をユーザに伝達できるようになるので、ユーザの作画意図により近い画像読み取りを実現させ得るという利点がある。
【００３４】
請求項１０にかかる画像入力システムによれば、例えばユーザが指定した合焦域が不適正と判定されたような場合に、作画意図により近い合焦域を再設定できるようになるので、ユーザの趣向により近い画像読み取りを実現させ得るという利点がある。
【００３５】
請求項１１にかかる画像入力システムによれば、塵埃有無情報、コントラスト情報及び輝度情報を総合的に考慮した上で、合焦コンデション判定を行えるようになる。従って、より的確に合焦コンデション判定を行えるようになる。
【００３６】
請求項１２にかかる画像入力システム用動作プログラムによれば、ユーザ等により設定された合焦域について、当該特定の合焦域にて合焦調整を行うと期待する画像読み取りができるか否かを、塵埃等付着情報、コントラスト情報及び輝度情報という、合焦コンデション判定に不可欠な要素に基づいて的確に判定できるので、ユーザの作画意図を汲み取りつつ、可能な限り最適な合焦状態でフィルム画像の読み取りを行うことができる。
【００３７】
請求項１３にかかる画像入力システム用動作プログラムによれば、合焦コンデション判定ステップで適切と判定された合焦域について、フィルムのカール状態をも考慮して、特定された合焦域が、合焦動作を行わせるべき合焦域として適正かを事前に把握することができるので、よりユーザの作画意図に近い画像読み取りが行えるようになる。
【発明を実施するための最良の形態】
【００３８】
（全体構成の説明）
以下図面に基づいて、本発明の実施形態にかかる画像入力システムについて説明する。図１は、本実施形態にかかる画像入力システム（フィルム画像読取システム）１の全体構成図、図２は、フィルムスキャナ１００の外観を示す斜視図である。この画像入力システム１は、フィルムスキャナ１００と、ホストコンピュータ２００（以下、ホストＰＣ２００という）とから構成される。
【００３９】
フィルムスキャナ１００（撮像手段）は、図２に示すように、前面の下部に電源スイッチ１０１と焦点調整用操作ボタン１０２とが設けられ、この焦点調整用操作ボタン１０２の上部にフィルム挿入口１０３が設けられている。焦点調整用操作ボタン１０２は、現像済みのフィルムＦの光像を後述する撮像素子としてのＣＣＤ（Charge Coupled Device）１０４の撮像面に結像するレンズ系１０５（図３参照）の焦点調節を行うものである。また、フィルム挿入口１０３はフィルムＦの各コマに撮影された画像（フィルム画像）を読み取るべくフィルムＦをセットするためのもので、ごみ等の侵入を防止するためシャッタ１０６が開閉可能に設けられている。
【００４０】
フィルムスキャナ１００は、フィルムＦ、具体的にはスライド（マウントされたポジフィルム）Ｆ１及び専用のネガキャリアに装着されたカラーネガフィルムＦ２のフィルム画像の読み取りが可能で、フィルム挿入口１０３にはスライドＦ１又はカラーネガフィルムＦ２のいずれもセット可能になっている。また、スリーブやカートリッジその他のフィルム収納方式に対応可能にしてもよい。
【００４１】
ホストＰＣ２００は、図１に示すように、制御本体２０１と、モニタ２０２（表示手段）と、キーボードからなる入力操作部２０３とを備えてなり、フィルムスキャナ１００は、ＵＳＢケーブル２１５を介して制御本体２０１に接続され、ホストＰＣ２００からの制御コマンドに従って画像読取動作が行われる。
【００４２】
すなわち、ホストＰＣ２００は、フィルム画像が必要になると、所定のコマンドをフィルムスキャナ１００に送出して、後述するフィルム画像のプレスキャン及び本スキャンを行わせる。フィルムスキャナ１００はホストＰＣ２００から送信されるコマンドに従って装置の初期化を行ったのち、ＣＣＤ１０４をフィルムＦのフィルム画像に対して相対的にスキャンしてフィルム画像のデータ（画像データ）を取り込み、各画像データに所定の画像処理を施した後、順次、ホストＰＣ２００に転送する。ホストＰＣ２００は転送された画像データを、プレスキャン画像、或いは記録直前の画像としてモニタ２０２に表示するとともに、制御本体２０１内の後述する記憶部２３２に記憶（本スキャン時）する。
【００４３】
そして、ライン単位でフィルム画像の撮像及び画像データのホストＰＣ２００への転送が繰り返され、全フィルム画像を構成する画像データの転送が終了すると、フィルムスキャナ１００はフィルム画像の読取動作を終了する。
【００４４】
（全体的な電気的構成の説明）
図３は、本実施形態にかかる画像入力システム１の電気的構成を示すブロック図である。図３において、フィルムスキャナ１００は、ホストＰＣ２００に例えばＵＳＢ規格で接続され、ホストＰＣ２００上で起動する画像処理ソフトウェアをサポートするホストＰＣ２００の周辺装置として機能するものである。なお、フィルムスキャナ１００をホストＰＣ２００に接続するための規格は、上記のＵＳＢ規格に限らずＳＣＳＩ規格でもよい。
【００４５】
フィルムスキャナ１００は、光学系１０７、ＣＣＤ１０４、アンプ部１０８、クランプ回路部１０９、アナログマルチプレクサ１１０（以下、ＭＰＸ１１０という）、Ｄ／Ａコンバータ１１１、Ａ／Ｄコンバータ１１２、デジタル信号処理部１１３、出力データバッファ１１４、ＤＭＡコントローラ１１５、ＵＳＢコントローラ１１６、タイミング発生部１１７及び制御部１１８から構成されている。
【００４６】
光学系１０７は、詳細な説明は省略するが、光軸Ｌ上に配設された照明系１１９、レンズ系１０５、遮光板１２０及び図略の駆動系などから構成されている。前記照明系１１９は、例えば蛍光灯、クセノンランプあるいはハロゲンランプ等から構成されるランプを有し、フィルムＦを照明するものである。遮光板１２０は、レンズ系１０５とフィルムＦとの間に介設されている。遮光板１２０の適所にはスリット状の露光窓１２０ａが穿設されている。
【００４７】
駆動系は、フィルムスキャナ１００にセットされたフィルムＦと遮光板１２０の露光窓１２０ａとを所定の方向に相対移動させるものである。これにより、照明系１１９により照明されたフィルムＦの光像は、露光窓１２０ａによりスリット光像に分割されてＣＣＤ１０４に導かれるようになっている。
【００４８】
ＣＣＤ１０４（ラインＣＣＤ１０４）は、例えばフォトダイオード等の複数の光電変換素子（画素）がライン状に１次元配列されたラインセンサが３本並列に配列されてなり、各ラインセンサの受光面にはそれぞれＲ（赤），Ｇ（緑），Ｂ（青）の色フィルタが配設され、受光面に結像したフィルム画像の光像を電気信号に変換して、ライン単位でＲ，Ｇ，Ｂ各色の画像信号として出力するカラーＣＣＤである。
【００４９】
アンプ部１０８は、Ｒ，Ｇ，Ｂ各チャンネルに対応して配設されたアンプ１０８Ｇ，１０８Ｒ，１０８Ｂを備える。アンプ１０８Ｒ，１０８Ｇ，１０８Ｂは、制御部１１８からＤ／Ａコンバータ１１１を介して入力されるアナログゲインによって、Ｒ，Ｇ，Ｂ各チャンネルの画像信号のゲイン調整を行うものである。このアナログゲインは、ホストＰＣ２００で算出される。
【００５０】
クランプ回路部１０９（クランプ回路１０９Ｇ，１０９Ｒ，１０９Ｂ）は、制御部１１８からＤ／Ａコンバータ１１１を介して入力されるクランプレベルによって、Ｒ，Ｇ，Ｂ各色の画像信号の黒レベルを、ＣＣＤ１０４の黒基準出力部から出力されるクランプレベルに調整するものである。またＭＰＸ１１０は、Ｒ，Ｇ，Ｂ各チャンネルの画像信号を選択的にシリアル出力するものである。
【００５１】
Ａ／Ｄコンバータ１１２は、アナログのＲ，Ｇ，Ｂの画像信号を、フィルムスキャナ固有のビット数、例えば１６ビットや１２ビットのデジタル信号にそれぞれ変換するものである。
【００５２】
デジタル信号処理部１１３は、デジタル化されたＲ，Ｇ，Ｂ各チャンネルの画像信号に、Ａ／Ｄコンバータ１１２への入力レベルのオフセットをキャンセルする黒補正、光学系１０７及びＣＣＤ１０４によって生じるシェーディングをキャンセルするシェーディング補正、Ｇ，Ｒ，Ｂ信号のγ変換等の処理を行うものである。黒補正は、露光窓１２０ａが閉じられた無信号状態でＣＣＤ１０４の１ライン分の画像信号を取り込み、この画像信号をホストＰＣ２００に転送する。シェーディング補正は、照明系１１９の照明光を直接ＣＣＤ１０４に入射して、すなわちフィルムＦの無い、素通しの状態でＣＣＤ１０４を照明して画像信号を取り込み、この画像信号をホストＰＣ２００に転送する。以下、デジタル信号処理部１１３により上記各処理が施された画像信号を画像データという。
【００５３】
出力データバッファ１１４は、Ｒ，Ｇ，Ｂの各色の画像データを一時的に記憶するメモリで、各画像データは、出力データバッファ１１４からＤＭＡコントローラ１１５とＵＳＢコントローラ１１６とを介してホストＰＣ２００に出力されるようになっている。
【００５４】
ＤＭＡコントローラ１１５は、制御部１１８からの制御信号に基づき、デジタル信号処理部１１３や出力データバッファ１１４と、ＵＳＢコントローラ１１６との間の画像データ等の転送を制御するものである。ＵＳＢコントローラ１１６は、フィルムスキャナ１００とホストＰＣ２００との間での画像データを含む種々のデータの送受信におけるインターフェース制御を行うものである。
【００５５】
タイミング発生部１１７は、制御部１１８からの制御信号に基づき、各部の駆動タイミングを制御するタイミング信号を出力するものである。ＣＣＤ１０４には、電荷の蓄積時間等を制御するタイミング信号が入力される。クランプ回路部１０９には、クランプレベル調整のタイミング信号が入力される。また、ＭＰＸ１１０及びＡ／Ｄコンバータ１１２には、それぞれ同期用のクロック信号が入力される。
【００５６】
なお、この種のフィルムスキャナ１００にあっては、Ｒ，Ｇ，Ｂ各色の露光時間を、被写体情報に応じて色毎に変えることが、きめ細やかな諧調を再現し高品質な画像を得るという点で望ましい。このため、後述の露光量制御部２０９においてＲ，Ｇ，Ｂの色別に露光パラメータ（露光時間）を設定可能とし、前記タイミング発生部１１７がかかる設定制御信号を受けて、ＣＣＤ１０４のＲ，Ｇ，Ｂ各色用画素の電荷転送タイミングを色別に設定された所定タイミングとする（つまり、Ｒ，Ｇ，Ｂの色別に本スキャンを行う）構成とすることが望ましい。これにより、濃度調整だけでなくホワイトバランスの制御も可能となり、ゲイン調整だけでは十分に再現できないような繊細な画像を形成することが可能となる。
【００５７】
制御部１１８は、例えば制御プログラムを記憶するＲＯＭ１２１や一時的にデータを記憶するＲＡＭ１２２が内蔵されたマイクロコンピュータからなり、フィルムスキャナ１００の各部の動作を制御するもので、フィルムＦのスキャンを行う際の光学系１０７や駆動系などの制御、ＵＳＢコントローラ１１６を介してホストＰＣ２００から送信される露光時間データに基づくタイミング発生部１１７のタイミング信号出力制御、ＵＳＢコントローラ１１６を介してホストＰＣ２００から送信されるアナログゲインに基づいてＤ／Ａコンバータ１１１を介して行うアンプ部１０８のゲイン調整制御等の機能を有している。
【００５８】
また、制御部１１８は、後述するホストＰＣ２００の制御部２０５（コンデション評価値取得部２２２）からの指令信号に基づいて、特定された合焦域を含む領域から所定のコンデション評価値を取得するための動作を行う。さらに制御部１１８は、制御部２０５（本スキャン制御部２４２又はプレスキャン制御部２４１）からの指令信号に基づいて、フィルム画像を撮像させて実際に画像を記録する撮像動作（本明細書ではこれを「本スキャン」という）、並びに前記本スキャンで画像データを取り込む際の露光条件等を設定するために、本スキャンの前にフィルム画像を予備的に撮像させる撮像動作（本明細書ではこれを「プレスキャン」という）を行う。前記本スキャン及びプレスキャンにて取り込まれた画像データは、出力データバッファ１１４からＤＭＡコントローラ１１５及びＵＳＢコントローラ１１６を介してホストＰＣ２００に転送される。
【００５９】
前記制御部１１８のＲＯＭ１２１には、Ａ／Ｄコンバータ１１２の出力信号のビット数情報やフィルムスキャナ１００の機種名情報を含むフィルムスキャナの種類に関する情報（スキャナ情報）が記憶されており、このスキャナ情報はスキャンを開始する際にホストＰＣ２００に送信される。なお、ホストＰＣ２００には、複数の機種のフィルムスキャナ１００が接続可能とされている。ホストＰＣ２００は、各機種のフィルムスキャナ１００のスキャナ情報を有しており、例えば起動時に、接続されているフィルムスキャナ１００の機種を判別する機能を備えている。
【００６０】
次に、ホストＰＣ２００について説明する。ホストＰＣ２００は、ＵＳＢコントローラ２０４、制御部２０５及びフレームメモリ２０６を備える制御本体２０１と、表示手段としてのモニタ２０２と、キーボードやマウス等からなる入力操作部２０３とから構成されている。
【００６１】
ＵＳＢコントローラ２０４は、フィルムスキャナ１００とホストＰＣ２００との間でのデータの送受信におけるインターフェース制御を行うものである。
【００６２】
制御部２０５は、機能的に、接続判定部２０７、データ受信部２０８、露光量制御部２０９、合焦制御部２１０、合焦調整部２２０、プレスキャン制御部２４１、本スキャン制御部２４２、記憶部２４３及びデータ転送部２４４を備えている。
【００６３】
接続判定部２０７は、フィルムスキャナ１００が当該ホストＰＣ２００に接続されているか否かを判定するものである。データ受信部２０８は、フィルムスキャナ１００から送信される画像データやスキャナ情報を受信するものである。受信した画像データ等は、記憶部２４３に記録される。
【００６４】
露光量制御部２０９は、プレスキャン時及び本スキャン時における露光時間等の露光条件を設定するものである。前記プレスキャン時においては、露光量制御部２０９は予め定められた標準的な露光条件（露光時間）を設定し、制御部１１８を介して撮像動作を実行させる。前記本スキャン時においては、プレスキャンにより取得された画像データからヒストグラム（フィルム濃度）を自動算出する等して適正な露光パラメータを算出し、該露光パラメータに基づいて露光条件（露光時間）を設定する。なお、例えばＲ，Ｇ，Ｂの色別に本スキャンを実行させるような場合は、該露光量制御部２０９はＲ，Ｇ，Ｂの色別に露光パラメータ（露光時間）を設定する。
【００６５】
合焦制御部２１０（合焦制御手段）は、合焦状態でフィルム画像を撮像すべく、フィルムＦを光軸方向に進退させる等して所定の合焦評価値を取得し、合焦位置を求める制御を行う。さらに合焦制御部２１０は、後述の露出パラメータ算出部２３５で求められた露出パラメータに基づいて制御信号を生成し、合焦動作を実行させる。図４は、この合焦制御部２１０により制御される合焦機構の一例を模式的に示す図（図３に示した符号と同一符号を付している）である。この合焦機構は、照明系１１９と、レンズ系１０５と、ＣＣＤ１０４とが光軸上に配置され、ホルダ等で保持されたフィルムＦが図示省略の駆動機構により光軸の前後方向へ移動可能とされた構成を有している。
【００６６】
このような構成において、照明系１１９から発せられた光は、フィルムＦ上の合焦調整点Ｆｆを透過し、レンズ系１０５で集光され、ＣＣＤ１０４上の合焦調整点Ｐｆにおいて結像される。この合焦調整点Ｐｆの画素において検出される輝度データと、該合焦調整点Ｐｆの隣接点Ｐｆｒの画素において検出される輝度データとが、合焦評価値として合焦制御部２１０に取得され、両者間のコントラストが計算される。そして、前記駆動機構を動作させてフィルムＦを光軸方向へ少しずつ移動させつつ順次同様なコントラスト計算を行って、最もコントラストが高くなるフィルムＦの位置Ｌｍａｘを合焦位置として求めるものである。
【００６７】
前記フィルムＦの光軸方向への駆動制御方式は、合焦制御のドライバソフトがコントラスト計算値を参照しつつ自動で行う（所謂山登り検出方式）方式と、ユーザが合焦評価値（コントラスト計算値）を参照しながらマニュアル操作する方式とがある。本明細書では、前者をＡＦ（Auto Focus）、後者をＭＦ（Manual Focus）という。本実施形態では後述する通り、これらＡＦ、ＭＦにおいて、ユーザが好む特定の合焦域（合焦点）を定めた場合に、当該特定の合焦域に基づいて本スキャンのための合焦動作を行わせることが妥当か否かを判定し、その判定結果をユーザに報知することができるよう構成している。従って、ユーザが特定の合焦域を指定した場合、この特定の合焦域を前記合焦調整点Ｐｆとして合焦制御が行われることとなる（以下、これを「ポイントＡＦ／ＭＦ」という場合がある）。なお、ユーザが特定の合焦域を指定しない場合は、前記ドライバソフトにて定められているデフォルト値（通常は画像の中心）にて合焦制御が行われる。
【００６８】
合焦調整部２２０は、上述したような、ユーザの指定にかかる特定の合焦域が合焦動作を行わせるのに適した合焦域か否かを判定する合焦コンデション判定機能を担うと共に、当該合焦コンデション判定において不適切と判定した場合に、所定の警告表示を行ってユーザに報知する機能を果たすものである。さらに、本実施形態の合焦調整部２２０は、不適切判定がなされた場合等に、適切な合焦域を定めて表示する推奨合焦域表示機能も備える。この合焦調整部２２０の構成については、後に詳述する。
【００６９】
プレスキャン制御部２４１は、プレスキャンの動作全般を制御する。すなわち、プレスキャン画像を得るための撮像動作を行わせたり、プレスキャン画像から露光条件設定のための画像データを取得して前記露光量制御部へ送信させたりする。
【００７０】
本スキャン制御部２４２は、本スキャンの動作全般を制御する。すなわち、露光量制御部２０９により設定された所定の露光条件でフィルムＦの撮像動作を実行させる。ユーザにより特定の合焦域が指定された場合は、その合焦域に基づき合焦動作を行った上で、或いは推奨合焦域において合焦動作を行った上で、撮像動作を実行させる。なお、前述のようにＲ，Ｇ，Ｂの色別に露光パラメータが設定されている場合は、Ｒ，Ｇ，Ｂの色別に本スキャン撮像動作を実行させる。
【００７１】
記憶部２４３は、前述の通りデータ受信部２０９により受信された画像データ等を一時的に記憶する。また、プレスキャンが異なるフィルムについて複数回実行された場合には、フィルム識別符合等に関連づけて画像データを一時的に記憶する。さらには、指定された合焦域の位置情報、後述するコンデション評価値、合焦コンデション判定結果などを一時的に記憶する。
【００７２】
データ転送部２４４は、合焦制御部２１０にて設定された合焦制御データや、露光量制御部２０９にて設定された露光条件に関するデータを含む各種のデータを転送データ形式に変換するもので、変換された転送データは、ＵＳＢコントローラ２０４を介してフィルムスキャナ１００の各部に転送される。
【００７３】
フレームメモリ２０６（記憶手段）は、設定された露光条件で本スキャンして得られた１コマ分の画像データを記憶するものである。この画像データは、ユーザの操作により、モニタ２０２に画像として表示したり、ホストＰＣ２００が備えるメモリ部やホストＰＣ２００に装着される各種記録媒体に記録されたり、或いはインクジェットプリンタ等のプリンタ装置にて紙出力されたりする。
【００７４】
モニタ２０２（表示装置）は、ＬＣＤやＣＲＴ等からなり、フレームメモリ２０６に記憶されたフィルム画像を表示するものである。また、合焦調整時において、特定の合焦域が合焦コンデション判定において不適切と判定された場合に警告情報を表示したり、フィルム画像のプレビュー画像に基づいて推奨合焦域を表示したりする。
【００７５】
入力操作部２０３は、フィルムスキャナ１００によるフィルムＦのスキャン開始の指示を行うための指示操作等の各種操作のほか、合焦調整時において、合焦域の設定、選択、再選択などの設定ないしは選択操作等を行わせるものである。
【００７６】
（合焦調整部２２０の詳細説明）
図５は、合焦調整部２２０の機能を説明するための機能ブロック図である。この合焦調整部２２０は、合焦域設定部２２１、コンデション評価値取得部２２２、合焦コンデション判定部２２３、推奨合焦域表示制御部２２９、カール状態判定部２３０及び合焦パラメータ算出部２３５を備えている。
【００７７】
合焦域設定部２２１は、フィルムＦの読み取りを行うに際し、ユーザによる合焦動作を行わせるべき「特定の合焦域」の設定を受け付け、これを当該合焦調整部２２０における合焦調整点（以後の説明において、前記「特定の合焦域」を「合焦調整点Ｐｆ」として説明する場合がある）として設定する。すなわち、ユーザがポイントＡＦ／ＭＦの実行を希望する場合に、入力操作部２０３からユーザの作画位置にマッチした特定の合焦域の設定を受け付け、当該合焦調整部２２０による前記特定の合焦域の合焦コンデション判定を実行可能とする。なお、この合焦域設定部２２１に合焦域の設定がなされなかった場合は、ドライバソフトにて定められている合焦デフォルト域（例えばフィルム画像の中心点）が、当該合焦調整部２２０による合焦コンデション判定対象とされることになる。
【００７８】
コンデション評価値取得部２２２は、合焦域設定部２２１で設定された特定の合焦域（或いは合焦デフォルト域）を含む領域から所定のコンデション評価値を取得する。本実施形態では、後述の通り合焦コンデション判定を、塵埃付着の有無、コントラスト及び輝度に基づいて行うようにしているので、コンデション評価値取得部２２２は、これら判定に必要な試験光の透過率データ及び画像データを、特定の合焦域を含む領域から取得する。なおフィルムのカール度合いもコンデション評価値の一つであるが、かかる評価値は後述のカール状態検出部２３１にて取得する構成としている。
【００７９】
仮に、それまでに取得されたプレスキャンによる画像データ等の中に、ユーザにより指定された特定の合焦域についてのコンデション評価値が存在していない場合は、前記プレスキャン制御部２４１に動作信号を送り、特定の合焦域を含む領域のプレスキャンを実行させる。この場合、特定の合焦域を含むラインＣＣＤ１０４の主走査方向の１ラインのみのプレスキャンであっても、フィルム画像全体のプレスキャンであっても良い。例えば、ユーザが特定した合焦域が不適切であった場合に、当該合焦域を含む主走査方向の１ライン上において推奨合焦点を探知しこれをユーザに報知することを意図する場合は、１ラインのみのプレスキャンが採用される。一方、全画像領域から推奨合焦点を探知して報知することを意図する場合は、フィルム画像全体のプレスキャンが採用される。
【００８０】
合焦コンデション判定部２２３は、前記コンデション評価値取得部２２２にて取得された所定のコンデション評価値に基づいて、本スキャンにおいてユーザが合焦域設定部２２１に設定した特定の合焦域に基づいて合焦動作を行うことの妥当性を判定する。この合焦コンデション判定部２２３は、試験光透過率判定部２２４、コントラスト判定部２２５、輝度判定部２２６、コンデション総合判定部２２７及び警告表示部２２８を備えて構成されている。
【００８１】
試験光透過率判定部２２４は、撮像対象のフィルムＦに赤外光等の試験光（フィルムは透過するが塵埃等は透過しない光）を照射したときの、前記試験光の透過率データを、前記コンデション評価値取得部２２２から取得し、この透過率データに基づいて、特定の合焦域に塵埃が付着しているか否かを判定する。例えば、コンデション評価値取得部２２２から取得した特定の合焦域の赤外光透過率がＴ１であった場合、予め定められている所定の透過率閾値Ｔｔｈと前記赤外光透過率Ｔ１とを対比し、
Ｔ１＜Ｔｔｈ
の条件に当てはまる場合は、当該特定の合焦域に塵埃が付着していると判定する。これは、塵埃が存在する場合、赤外光は該塵埃で遮断（吸収）されるため、その分だけ照射した入力光に対して出力光が低下する、すなわち透過率が低下することに基づいている。
【００８２】
コントラスト判定部２２５は、プレスキャンによる画像データ（輝度データ）から求められる、特定の合焦域とその隣接域とのコントラストデータを前記コンデション評価値取得部２２２から取得し、このコントラストデータに基づいて、特定の合焦域が不足のない所定のコントラストを備えているかを判定する。例えば、特定の合焦域とその隣接域とのコントラストがＣ１であった場合、予め定められている所定のコントラスト閾値Ｃｔｈと前記コントラストＣ１とを対比し、
Ｃ１＜Ｃｔｈ
の条件に当てはまる場合は、当該特定の合焦域にて合焦動作を行わせるにはコントラスト不足であると判定する。なお、コントラストの大きさを問題とするのは、コントラストが不足していると、前述の「山登り検出方式」等による合焦動作をスムースかつ正確に行わせることが困難になる傾向が出るためである。
【００８３】
輝度判定部２２６は、プレスキャンによる画像データ（輝度データ）から求められる、特定の合焦域における輝度データを前記コンデション評価値取得部２２２から取得し、この輝度データに基づいて、特定の合焦域が所定の輝度を備えているかを判定する。例えば、特定の合焦域の輝度がＥ１であった場合、予め定められている所定の輝度閾値Ｅｔｈと前記輝度Ｅ１とを対比し、
Ｅ１＜Ｅｔｈ
の条件に当てはまる場合は、当該特定の合焦域にて合焦動作を行わせるには輝度不足であると判定する。なお、輝度の大きさを問題とするのは、輝度が不足していると、コントラスト情報を取得するのに時間がかかり、速やかな合焦動作を行えない傾向が出てしまうからである。
【００８４】
コンデション総合判定部２２７は、前記試験光透過率判定部２２４、コントラスト判定部２２５及び輝度判定部２２６の判定結果に基づいて、合焦コンデションの良否を総合的に判定する。例えばコンデション総合判定部２２７は、それぞれの判定部で判定対象とされた上記赤外光透過率Ｔ１、コントラストＣ１及び輝度Ｅ１について、それぞれの閾値Ｔｔｈ、Ｃｔｈ、Ｅｔｈに対し、
Ｔ１≧Ｔｔｈ    ・・・（１）
Ｃ１≧Ｃｔｈ    ・・・（２）
Ｅ１≧Ｅｔｈ    ・・・（３）
の関係を、上記（１）〜（３）式の全てにおいて満たしている場合に、合焦コンデションを「適切」と判定する。一方、上記（１）〜（３）式のいずれか一つでも成立しない場合は、合焦コンデションを「不適切」と判定する。この判定基準は一例であり、フィルムＦの性質に合わせて、或いはユーザのニーズに応じて適宜基準を設定すればよい。
【００８５】
警告表示部２２８は、コンデション総合判定部２２７（或いは試験光透過率判定部２２４、コントラスト判定部２２５及び輝度判定部２２６のいずれか１以上）による判定結果を受けて、少なくとも「不適切」との判定がなされた場合に、その不適切判定結果をモニタ２０２等に表示する。例えば、「指定されたフォーカス調整点は不適切です」などといったメッセージをモニタ２０２上に表示させ、ユーザに報知する。
【００８６】
以上のような警告報知を行い、ユーザに合焦域の再選択を促す構成としても良いが、ユーザが指定した特定の合焦域の近傍に合焦動作に適した合焦域が存在している場合、そのような合焦域を探知し、これをユーザに推奨合焦域として報知することが、ユーザの好みにより近い合焦域の速やかなサーチを可能とする観点から望ましいといえる。
【００８７】
推奨合焦域表示制御部２２９は、このような要請に鑑み、例えばユーザにより指定された特定の合焦域を起点として、その近傍から周辺に適正合焦域の探知を行わせ、探知された適正合焦域を推奨合焦域としてモニタ２０２等へ表示させるものである。図６は、このような推奨合焦域表示制御部２２９の機能を説明するための模式図である。
【００８８】
図６（ａ）に示すように、いまユーザにより指定された特定の合焦域を合焦調整点Ｐｆとし、この合焦調整点Ｐｆを、合焦コンデション判定を行う判定点Ｐ１とした場合において、該判定点Ｐ１が上記（１）〜（３）式の条件を満たすＴ１、Ｃ１、Ｅ１を備えているような場合は、この判定点Ｐ１は合焦動作適正があると扱われることから、この合焦調整点Ｐｆに関し前記警告表示部２２８による警告表示、並びに推奨合焦域表示制御部２２９による推奨合焦域の表示等は行われない。従って、ユーザは自らが選定した前記合焦調整点Ｐｆ（特定の合焦域）にて合焦動作を行わせ、本スキャンを実行させることができる。
【００８９】
一方、判定点Ｐ１が上記（１）〜（３）式の条件を満たさず「不適切」と合焦コンデション判定が為された場合は、図６（ｂ）に示すように、前記判定点Ｐ１の近傍の適宜な候補点Ｐ２を選定し、該候補点Ｐ２を新たな判定点Ｐ１と置いて、この候補点Ｐ２においてコンデション評価値である赤外光透過率Ｔ１、コントラストＣ１及び輝度Ｅ１のデータを取得し、上記（１）〜（３）式に基づいて合焦コンデション判定を行う。その結果、この候補点Ｐ２も「不適切」と判定された場合は、さらに候補点Ｐ２の近傍の適宜な候補点Ｐ３を選定して、この候補点Ｐ３を新たな判定点Ｐ１と置いて、この候補点Ｐ３においてコンデション評価値である赤外光透過率Ｔ１、コントラストＣ１及び輝度Ｅ１のデータを取得し、上記（１）〜（３）式に基づいて合焦コンデション判定を同様に行う。このようにして、順次候補点を定めて合焦コンデション評価を行ってゆく。
【００９０】
そして、もし前記候補点Ｐ３が「適切」と判定された場合は、この候補点Ｐ３に相当するポイントを、推奨合焦域としてモニタ２０２等に表示させる。ユーザはかかる表示を見て、
ａ）コンデションの悪さを承知しつつ最初に指定した合焦域を選択する、
ｂ）その推奨合焦域を、合焦動作を行わせる（ピント合わせする）ための合焦域として選択する、
ｃ）新たに合焦域を選択する、或いは
ｄ）今までの処理をキャンセルする
などの選択を行うことができる。
【００９１】
図７は、このような選択を行うことが可能な選択表示画面４０の一例を示す平面図である。この選択表示画面４０は、プレビュー画像表示部４１、指定合焦域選択アイコン４２、推奨合焦域選択アイコン４３、合焦域再選択アイコン４４及びキャンセルアイコン４５を備えている。
【００９２】
プレビュー画像表示部４１には、例えばプレスキャンにより読み取られたフィルム画像が表示される。このプレビュー画像表示部４１には、ユーザにより指定された特定の合焦域である合焦調整点Ｐｆと、前記推奨合焦域表示制御部２２９により求められた推奨合焦点Ｐｍが表示されている例を示している。当該プレビュー画像表示部４１のいずれかの部分に、合焦調整点Ｐｆの合焦コンデション判定結果（警告表示部２２８により生成されるメッセージ等）を表示させることが望ましい。
【００９３】
ユーザは、このプレビュー画像表示部４１の表示を確認しつつ、あくまで最初に指定した合焦域（合焦調整点Ｐｆ）を選択する場合は、指定合焦域選択アイコン４２をクリック操作し、また推奨合焦点Ｐｍを選択する場合は、推奨合焦域選択アイコン４３をクリック操作して合焦動作させるポイントを選択する。一方、新たに特定の合焦域の選択を行う場合は、合焦域再選択アイコン４４をクリック操作する。この場合、入力操作部２０３から前記合焦域設定部２２１に対する新たな合焦域の入力が受け入れられる。また、これまで行った操作をリセットしてプレスキャンが終わった状態へ復帰させたいような場合は、キャンセルアイコン４５をクリック操作してリセットすることができる。
【００９４】
合焦パラメータ算出部２３５は、以上のような処理を経て合焦調整点Ｐｆが決定された場合に、その合焦調整点Ｐｆに対する合焦動作を行わせるための合焦パラメータの算出を行う。この算出された合焦パラメータは合焦制御部２１０へ設定され、該合焦制御部２１０により合焦調整点Ｐｆに対応させた合焦動作が行われ、本スキャン動作が実行されるものである。
【００９５】
なお、図６に示した上述の候補点Ｐ２及び候補点Ｐ３の選定について、ユーザが指定した合焦調整点Ｐｆを含む１ラインについてのコンデション評価値を用いる場合は、主走査方向へ順次候補点を水平移動させることになる。この場合、処理を高速化することができる。一方、フィルム全体から取得されるコンデション評価値を用いる場合は、図６（ｂ）に示すように二次元的に候補点を移動させることができる。この場合、ユーザが指定した合焦調整点Ｐｆの近傍で、適正合焦域を求め易くなるという利点がある。
【００９６】
以上の説明は、ポイントＡＦ／ＭＦを実行する場合の機能であるが、ポイントＡＦ／ＭＦを実行しない場合、つまりドライバ側で設定されている合焦デフォルト域での合焦調整が行われる場合は、ユーザの選択意図が介入しないことから、例えば警告表示部２２８による警告表示を行わず、上述の推奨合焦点Ｐｍを自動的に合焦調整点Ｐｆへ置き換える動作を行わせるようにすれば良い。この場合、自動的に置き換えられた合焦調整点Ｐｆをユーザに報知するようにしても良い。或いは、合焦調整点の自動的な置換を行う前に、ポイントＡＦ／ＭＦの実行をユーザに促すメッセージ表示等を行わせるようにしても良い。
【００９７】
図５に戻って、カール状態判定部２３０は、フィルムのカール度合いというコンデション評価値を取得して、ユーザにより指定された特定の合焦域が合焦動作に適しているかを判定する。このカール状態判定部２３０は、カール状態検出部２３１、ＣＣＤ相対移動制御部２３２、合焦評価部２３３および警告表示部２３４を備えている。
【００９８】
カール状態検出部２３１は、コンデション評価値として、前記フィルムＦの主走査方向及び副走査方向のカール状態情報を検出する。例えばカール状態検出部２３１は、主走査方向の１ラインに沿った複数のポイントから合焦位置情報を取得すると共に、副走査方向に設定された所定の計測ラインに沿った複数のポイントから合焦位置情報を取得する。
【００９９】
ＣＣＤ相対移動制御部２３２は、前記カール状態情報検出のため、ラインＣＣＤ１０４とフィルムＦとを相対的に移動させる制御を行う。具体的には、フィルムＦを保持するホルダを副走査方向（光軸と直交する一方向）に移動可能とする駆動機構の動作を制御する。勿論、ラインＣＣＤ１０４を副走査方向へ移動させるようにしても良い。なお、合焦位置を調整するための、フィルムＦ（フィルムＦを保持するホルダ）の光軸方向への駆動（図４参照）は、前記合焦制御部２１０にて制御される。
【０１００】
図８は、カール状態情報検出時の動作を説明するための模式的な斜視図である。図示する通り、副走査方向においてフィルムＦの撮像領域を所定間隔でｍ個に分割するラインが設定される（図例では、ｍ＝７に設定した例を示している）。このｍ個のラインは、カール状態情報を抽出する計測ラインとなる。この際、１つのライン中にユーザが指定した合焦調整点Ｐｆが含まれるような設定が為される（図例では、ｍ＝４のラインに合焦調整点Ｐｆが含まれている例を示している）。一方、主走査方向には、その中心から両端にわたり所定間隔でｎ個の抽出ポイントが設定される（図例では、ｎ＝７に設定した例を示している）。このｎ個の抽出ポイントは、ｍ個の計測ラインそれぞれにおいて抽出ポイントとなる。これらｍ個のライン及びｎ個の抽出ポイントの設定は任意であり、等間隔としても不等間隔としてもよく、例えば合焦調整点Ｐｆの近傍において密にする設定、逆にフィルムＦのエッジ付近を密にする設定とすることができる。
【０１０１】
このように設定されたｍ個のライン及びｎ個の抽出ポイントＰｉ１、Ｐｉ２・・・Ｐｉｎ（ｉ＝１，２・・・ｍ）において、それぞれ合焦位置Ｌｉ１、Ｌｉ２・・・Ｌｉｎ（ｉ＝１，２・・・ｍ）を検出する。すなわち、ＣＣＤ相対移動制御部２３２によりラインＣＣＤ１０４をｍ個のラインのうちのいずれかの適宜なライン上に相対移動させ、続いて合焦制御部２１０により合焦動作を行わせつつ、ｎ個の抽出ポイントにおける合焦位置情報をそれぞれ検出する（つまり、１つのライン上のｎ個の合焦位置情報は主走査方向であるため、１度の合焦動作で検出できる）。その後、ＣＣＤ相対移動制御部２３２によりラインＣＣＤ１０４を他のライン上に順次相対移動させ、同様な検出動作をｍ個のライン分だけ繰り返されることにより、フィルムＦの主走査方向及び副走査方向のカール状態情報が検出されるものである。
【０１０２】
合焦評価部２３３は、カール状態検出部２３１で検出されたカール状態情報に基づいて、ユーザが指定した合焦調整点Ｐｆ（特定の合焦域）に基づいて合焦動作を行って本スキャンを実行させた場合の、前記合焦域以外の領域の合焦度合いを評価する。具体的には、上記で得られた合焦位置Ｌｉ１、Ｌｉ２・・・Ｌｉｎ（ｉ＝１，２・・・ｍ）に対し、合焦調整点Ｐｆにおける合焦位置をＬｆ、合焦位置の許容量をＬｔｈとすると、すべての合焦位置抽出ポイントＬｉｊ（ｉ＝１，２・・・ｍ，ｊ＝１，２・・・ｎ）において、
｜Ｌｉｊ−Ｌｆ｜≦Ｌｔｈ
の関係を満たしている場合に、フィルムＦのカール状態は許容範囲であるとして、合焦度合いを「適切」と判定する。一方、
｜Ｌｉｊ−Ｌｆ｜≧Ｌｔｈ
の関係となる合焦位置抽出ポイントＬｉｊが存在する場合は、フィルムＦのカール状態は許容範囲を超えているとして、合焦度合いを「不適切」と判定する。
【０１０３】
警告表示部２３４は、少なくとも前記合焦評価部２３３において「不適切」と判定された場合に、当該不適切判定結果をモニタ２０２等に警告表示する。なお、ポイントＡＦ／ＭＦを実行していない場合は、警告表示は行わないようにしてもよく、この場合、例えばフィルムＦ全面が合焦位置の許容量Ｌｔｈの範囲内になる新たな合焦位置、若しくは画像中央部分が合焦位置の許容量Ｌｔｈの範囲内に入り、且つ該許容量Ｌｔｈの範囲内に含まれる領域が最大となる合焦位置を演算により求めて、これを合焦調整点Ｐｆとする制御を行わせることができる。
【０１０４】
以上のような警告報知を行い、ユーザに合焦域の再選択を促す構成としても良いが、上述の合焦コンデション判定と同様に、カール状態を考慮した合焦位置情報をユーザに提供することが望ましい。上記推奨合焦域表示制御部２２９は、このような要請に鑑み、２次元又は３次元の合焦位置情報を生成し、推奨合焦域に関する情報をモニタ２０２等へ表示させる機能も備える。
【０１０５】
図９は、カール状態判定において推奨合焦域表示制御部２２９により生成される２次元合焦位置情報画面５０の一例を示す平面図である。この合焦位置情報画面５０は、プレビュー画像表示部５１、合焦調整点再選択アイコン５２及びキャンセルアイコン５３を備えている。
【０１０６】
プレビュー画像表示部５１には、ユーザにより指定された合焦調整点Ｐｆが表示されると共に、合焦位置情報として、
（イ）合焦調整点Ｐｆで合焦動作を行わせた場合、合焦位置の許容量Ｌｔｈの範囲内になる第１領域５２、
（ロ）合焦調整点Ｐｆで合焦動作を行わせた場合、合焦位置の許容量Ｌｔｈの範囲外になる第２領域５３、及び
（ハ）フィルムＦの全面が合焦位置の許容量Ｌｔｈの範囲内になる第３領域５４
が、表示色を変える等して表示される。
【０１０７】
ユーザは、このようなプレビュー画像表示部５１の表示を確認しつつ、あくまで最初に指定した合焦域（合焦調整点Ｐｆ）を選択する場合はそのまま処理を実行させ、上記合焦位置情報を参照して合焦域を再選択する場合は、合焦調整点再選択アイコン５５をクリック操作し、新たな合焦域を選択する操作を行う。この場合、入力操作部２０３から前記合焦域設定部２２１に対する新たな合焦域の入力が受け入れられる（例えば、第３領域５４のいずれかの箇所を合焦調整点Ｐｆとして選択する等の操作が受け入れられる）。また、これまで行った操作をリセットしてプレスキャンが終わった状態へ復帰させたいような場合は、キャンセルアイコン５６をクリック操作してリセットすることができる。
【０１０８】
（画像入力システムの動作フローの説明）
続いて、以上の通り構成された画像入力システム１によるフィルム画像読取処理について説明する。図１０は、本実施形態にかかる画像入力システム１によるフィルム画像読取処理の全体的なフローを示すフローチャート、図１１は、合焦調整（フォーカス調整）の全体的なフローを示すフローチャート、図１２は、合焦コンデション判定における詳細処理を示すフローチャート、図１３はフィルムＦのカール状態判定における詳細処理を示すフローチャートである。
【０１０９】
図１０のフローチャートにおいて、先ずユーザが読み取りを希望するフィルムＦが、フィルムスキャナ１００にセットされる（ステップＳ１１）。この際、ホストＰＣ２００は、接続判定部２０７によりフィルムスキャナ１００が正しく接続されているか否かを判定する。
【０１１０】
フィルムＦのセットが完了したら、プレスキャンにおいて合焦調整を実行するか否かが確認され（ステップＳ１２）、合焦調整を実行する場合は（ステップＳ１２でＹＥＳ）は、合焦コンデション判定部２２３による合焦コンデション判定及びカール状態判定部２３０によるカール状態判定からなる合焦調整が実行される（ステップＳ１３）。このステップＳ１３における処理については、図１１〜図１３のフローチャートに基づいて後記で詳述する。
【０１１１】
続いてプレスキャンが実行され（ステップＳ１４）、露光評価値等が取得されると共に、プレスキャンによるイメージ画像がモニタ２０２へ表示される。なお、プレスキャンにおいて合焦調整を実行しない場合は（ステップＳ１２でＮＯ）、合焦調整を行うことなくステップＳ１４のプレスキャンが実行される。
【０１１２】
しかる後、（再度の）ポイントＡＦ／ＭＦを行うか否かが確認され（ステップＳ１５）、ポイントＡＦ／ＭＦを行わない場合は（ステップＳ１５でＮＯ）、本スキャンを実行し（ステップＳ１６）、処理を完了する。一方、ポイントＡＦ／ＭＦを（再度）行う場合は（ステップＳ１５でＹＥＳ）、ステップＳ１３に戻って合焦調整を行い、再度プレスキャンを実行することになる。
【０１１３】
次に、図１１のフローチャートに基づいて、合焦調整処理（上記ステップＳ１３）の全体的なフローを説明する。まず、ポイントＡＦ／ＭＦを行うか否かが確認され（ステップＳ２１）、ポイントＡＦ／ＭＦが行われる場合は（ステップＳ２１でＹＥＳ）、ユーザによる合焦域設定部２２１に対する入力操作部２０３からの合焦域設定情報が受け入れられ、ユーザが好む特定の合焦域（合焦調整点Ｐｆ）が設定される（ステップＳ２２）。一方、ポイントＡＦ／ＭＦを行わない場合は（ステップＳ２１でＮＯ）、合焦調整点Ｐｆがデフォルト値に設定されることとなる（ステップＳ２３）。
【０１１４】
この後、コンデション評価値取得部２２２により、前記合焦調整点Ｐｆ（デフォルト合焦調整点Ｐｆ）を含む領域からコンデション評価値が取得されるのであるが、合焦調整点Ｐｆを含む１ライン若しくは画像全体の、試験光（赤外光）の透過率データ及び画像データが存在するかが確認され（ステップＳ２４）、もしそのようなデータが存在していなかったならば（ステップＳ２４でＮＯ）、コンデション評価値取得部２２２はプレスキャン制御部２４１に合焦調整点Ｐｆを含む１ライン若しくは画像全体のプレスキャンを実行するよう動作信号を送り、プレスキャンを実行させる（ステップＳ２６）。かかるプレスキャンにより得られた画像に基づいて、コンデション評価値取得部２２２は所定のコンデション評価値を取得する。既に合焦調整点Ｐｆを含む１ライン若しくは画像全体のデータが存在している場合は（ステップＳ２４でＹＥＳ）、プレスキャンは行われない。
【０１１５】
続いて、上記コンデション評価値に基づいて、合焦コンデション判定部２２３により当該合焦調整点Ｐｆが合焦動作に適したものであるかの判定が行われる（ステップＳ２５）。このステップＳ２５における処理については、図１２のフローチャートに基づいて後記で詳述する。その後、カール状態判定を行うかが確認され（ステップＳ２７）、カール状態判定が行われる場合は（ステップＳ２７でＹＥＳ）、前記合焦コンデション判定において適切と判定された合焦調整点Ｐｆについて、カール状態判定部２３０によるカール状態判定が行われる（ステップＳ２８）。このステップＳ２８における処理については、図１３のフローチャートに基づいて後記で詳述する。そして合焦調整点Ｐｆが決定されたら、当該合焦調整点Ｐｆに基づいて合焦制御部２１０により合焦動作が実行され（ステップＳ２９）、プレスキャン（前記ステップＳ１４）及び本スキャン（前記ステップＳ１６）の実行に供される。
【０１１６】
カール状態判定が行われない場合は（ステップＳ２７でＮＯ）、ステップＳ２８をスキップし、ステップＳ２５で設定された合焦調整点Ｐｆに基づいて合焦動作が行われる。なお、前記ステップＳ２５、或いはステップＳ２７において合焦調整点Ｐｆの再選択がなされた場合、すなわち図７に示す選択表示画面４０の合焦域再選択アイコン４４が選ばれた場合、或いは図９に示す合焦位置情報画面５０の合焦調整点再選択アイコン５２が選ばれた場合は、ステップＳ２２に戻り、合焦域設定部２２１に対する合焦調整点Ｐｆの再設定が為されることなる。以上が、合焦調整の全体的なストリームである。
【０１１７】
次に、図１２のフローチャートに基づいて、合焦コンデション判定処理（上記ステップＳ２５）の詳細フローについて説明する。先ず図６に示したように、ユーザにより指定された特定の合焦域を合焦調整点Ｐｆとし、この合焦調整点Ｐｆを、合焦コンデション判定を行う判定点Ｐ１として設定する（ステップＳ３１）。
【０１１８】
この判定点Ｐ１において、コンデション評価値取得部２２２によりコンデション評価値である赤外光透過率Ｔ１、コントラストＣ１及び輝度Ｅ１のデータが取得される（ステップＳ３２）。そして試験光透過率判定部２２４、コントラスト判定部２２５及び輝度判定部２２６にて、それぞれ塵埃の付着状況、コントラスト及び輝度の適正が判定され、コンデション総合判定部２２７により、上記（１）〜（３）式に基づいて合焦コンデション判定が行われる（ステップＳ３３）。
【０１１９】
図示する通り、上記（１）〜（３）式のすべてを満たす場合に、合焦コンデションを「適正」と判定する設定がなされている場合、図６（ｂ）に示すように、推奨合焦域表示制御部２２９により判定点Ｐ１の近傍の適宜な候補点Ｐ２が選定され、該候補点Ｐ２が新たな判定点Ｐ１として設定される（ステップＳ３４）。そしてステップＳ３２に戻って、その新たな判定点Ｐ１（候補点Ｐ２）において、コンデション評価値が取得される。このような判定処理が、「適正」と判定される候補点がサーチされるまで継続される。なお、所定の判定点のすべてについて合焦コンデション判定を行い、「適正」とされる候補点（推奨合焦域Ｐｍ）を複数抽出するようにしても良い。
【０１２０】
次に、最終的な判定点Ｐ１が、ユーザにより指定された合焦調整点Ｐｆであるかが確認される（ステップＳ３５）。もし、ユーザの指定にかかる合焦調整点Ｐｆが「適正」であるならば、Ｐ１＝Ｐｆとなり（ステップＳ３５でＹＥＳ）、警告表示は不要であることから、必要に応じてこの合焦調整点Ｐｆを表示し（ステップＳ４０；例えば図７のプレビュー画像表示部４１へ表示させる）、ステップＳ４１のモード選択ステップへ移行する（例えば図７の選択表示画面４０での選択を受け入れる）。この場合のユーザの選択肢は、
（ａ）合焦調整点Ｐｆを合焦域とする合焦調整、
（ｃ）合焦域の再選択、及び
（ｄ）キャンセル
となることから、例えば前記選択表示画面４０を表示させた場合、ユーザは指定合焦域選択アイコン４２、合焦域再選択アイコン４４及びキャンセルアイコン４５のいずれかをクリック操作して、次の処理を実行させることになる。
【０１２１】
一方、Ｐ１＝Ｐｆでない場合は、ユーザの指定にかかる合焦調整点Ｐｆが「不適正」であることになるので（ステップＳ３５でＮＯ）、ポイントＡＦ／ＭＦが実行されている場合においては（ステップＳ３６でＹＥＳ）、警告表示部２２８により警告メッセージ等が生成されてモニタ２０２へ表示される（ステップＳ３７）。なお、ポイントＡＦ／ＭＦではなく合焦調整点Ｐｆがデフォルト値とされている場合は（ステップＳ３６でＮＯ）、ユーザの選択要素が介入していないことから、警告表示は行われない。
【０１２２】
ステップＳ３７の警告表示後（或いはステップＳ３７の前に）、前記推奨合焦域表示制御部２２９でサーチされた「適正」な候補点（推奨合焦域Ｐｍ）を表示するかが確認される（ステップＳ３８）。推奨合焦点Ｐｍの表示が行われる場合は（ステップＳ３８でＹＥＳ）、表示すべき推奨合焦点Ｐｍの設定が行われ（ステップＳ３９）、ステップＳ４０へ移行して当該推奨合焦点Ｐｍを含んだ選択表示画面４０が表示される。なお、ポイントＡＦ／ＭＦが実行されていない場合は（ステップＳ３６でＮＯ）、前記ステップＳ３９は推奨合焦点Ｐｍにデフォルト合焦点を置換する処理となる。推奨合焦点Ｐｍの表示が行われない場合は（ステップＳ３８でＮＯ）、ステップＳ４０において推奨合焦点Ｐｍを含まない選択表示画面４０が表示される。
【０１２３】
ステップＳ４０で推奨合焦点Ｐｍを含んだ選択表示画面４０が表示された場合、ユーザの選択肢は、
（ａ）合焦調整点Ｐｆを合焦域とする合焦調整、
（ｂ）推奨合焦点Ｐｍを合焦域とする合焦調整、
（ｃ）合焦域の再選択、及び
（ｄ）キャンセル
となることから、例えば前記選択表示画面４０を表示させた場合、ユーザは指定合焦域選択アイコン４２、推奨合焦域選択アイコン４３、合焦域再選択アイコン４４及びキャンセルアイコン４５のいずれかをクリック操作して、次の処理を実行させることになる。なお、ステップＳ３８でＮＯのストリームの場合は、上記（ｂ）を除いた選択肢となる。
【０１２４】
続いて、図１３のフローチャートに基づいて、フィルムカール状態の判定処理（上記ステップＳ２８）の詳細フローについて説明する。以下の説明でいう合焦調整点Ｐｆは、先の合焦コンデション判定処理で選択された合焦調整点Ｐｆである。先ず、主走査方向の任意の１ライン（若しくは合焦調整点Ｐｆを含む１ライン）のカール状態情報を検出すべく、カール状態検出部２３１に検出対象となるラインｉ＝１とする設定が行われる（ステップＳ５１）。これを受けて、ＣＣＤ相対移動制御部２３２により、設定にかかる副走査方向のｉ番目の位置へラインＣＣＤ１０４が移動される（ステップＳ５２）。例えば図８に示すように、ｍ＝１のラインから順次カール状態情報を検出するのであれば、ｍ＝１の位置へラインＣＣＤ１０４が移動されることとなる。
【０１２５】
そして、カール状態検出部２３１により、ｉ＝１番目のラインにおける主走査方向のｎ個の抽出ポイントＰ１１、Ｐ１２・・・Ｐ１ｎにおいて、それぞれ合焦位置Ｌ１１、Ｌ１２・・・Ｌ１ｎが検出される（ステップＳ５３）。図８の図例ではｎ＝７の場合を示しているので、この場合は７個の合焦位置情報が検出される。
【０１２６】
このような１ラインの合焦位置情報検出が完了したら、ｉ＝ｍに達したか、すなわち検出対象ラインのすべてについて合焦位置情報検出が完了しているかが確認される（ステップＳ５４）。そして、未完了であるならば（ステップＳ５４でＮＯ）、ｉ＋１の加算処理がなされて（ステップＳ５５）、ステップＳ５２に戻ってｉ＝ｉ＋１番目の位置へラインＣＣＤ１０４が移動され、ｉ＋１番目の位置において合焦位置情報検出が実行される。このループは、ｉ＝ｍに達するまで（ステップＳ５４でＹＥＳ）繰り返される。図８の図例ではｍ＝７の場合を示しているので、この場合は７ラインそれぞれについて、ｎ＝７個の合焦位置情報が検出されることになる。結果として、フィルム画像平面に設定されたｍ個のライン及びｎ個の抽出ポイントＰｉ１、Ｐｉ２・・・Ｐｉｎ（ｉ＝１，２・・・ｍ）において、それぞれ合焦位置Ｌｉ１、Ｌｉ２・・・Ｌｉｎ（ｉ＝１，２・・・ｍ）が検出される。なお、主走査方向のフィルムカールのみを検出する場合は、合焦調整点Ｐｆを含む１ライン（図８の場合はｍ＝４のライン）のみについてｎ個の合焦位置情報を検出すれば足りる。
【０１２７】
ステップＳ５４でＹＥＳとされると、合焦評価部２３３により、前述の通りすべての合焦位置抽出ポイントＬｉｊ（ｉ＝１，２・・・ｍ，ｊ＝１，２・・・ｎ）において、
｜Ｌｉｊ−Ｌｆ｜≦Ｌｔｈ
の関係を満たしているか否かが確認される（ステップＳ５６）。ここで、フィルムＦのカール度合いが大きい場合、そのカールにより合焦位置にずれが生じることから、合焦調整点Ｐｆにおける合焦位置Ｌｆとの差は大きくなり、従って合焦位置の許容量Ｌｔｈを越えてしまうようになる。そして、主走査方向のｎ個の抽出ポイントにおいて許容量Ｌｔｈを超過している場合、図８に示すように、フィルムＦの主走査方向のカールＸＣが許容値を超えるカールであることとなる。また、副操作方向のｍ個のラインにおいて、特定のｎ番目の抽出ポイントにおいて許容量Ｌｔｈを超過している場合、フィルムＦの副走査方向のカールＹＣが許容値を超えるカールであることとなる。従って、フィルムＦ全体のカール状態が把握できるようになる。
【０１２８】
合焦評価部２３３により合焦位置の許容量Ｌｔｈを越えていると判定された場合（ステップＳ５６でＮＯ）、ユーザが指定した合焦調整点Ｐｆで合焦動作を行うと、フィルムＦのカールの影響によりユーザの作画意図にマッチしない撮像が行われてしまう可能性があることから、この場合は警告表示部２３４により警告メッセージ等が生成され、モニタ２０２等へ表示される（ステップＳ５７）。なお、重複を避けるためフローを省略しているが、前記と同様にポイントＡＦ／ＭＦではなく合焦調整点Ｐｆがデフォルト値とされている場合は、ユーザの選択要素が介入していないことから、警告表示は行われない。
【０１２９】
ステップＳ５７の警告表示後（或いはステップＳ５７の前に）、前記推奨合焦域表示制御部２２９で求められた推奨合焦域に関する情報を表示するかが確認される（ステップＳ５８）。推奨合焦域情報の表示が行われる場合は（ステップＳ５８でＹＥＳ）、例えば当該推奨合焦域情報を含んだ図９に示す合焦位置情報画面５０が表示される（ステップＳ５９）。そしてステップＳ６０のモード選択ステップへ移行する。
【０１３０】
ここでユーザは、前記合焦位置情報画面５０の表示を確認しつつ、あくまで最初に指定した合焦域（合焦調整点Ｐｆ）を選択する場合はそのまま処理を実行させ、上記合焦位置情報を参照して合焦域を再選択する場合は、合焦調整点再選択アイコン５５をクリック操作し、新たな合焦域を選択する操作を行う。この場合、入力操作部２０３から前記合焦域設定部２２１に対する新たな合焦域の入力が受け入れられる。また、これまで行った操作をリセットしてプレスキャンが終わった状態へ復帰させたいような場合は、キャンセルアイコン５６をクリック操作してリセットする。
【０１３１】
なお、推奨合焦域情報の表示が行われない場合は（ステップＳ５８でＮＯ）、ステップＳ６０では合焦調整点Ｐｆでの処理の実行かキャンセルかの二者択一のモード選択となる。この場合も、合焦調整点Ｐｆを表示したプレビュー画像等をモニタ２０２へ表示させるようにしてもよい。また、ポイントＡＦ／ＭＦが実行されていない場合（フローでの図示は省略）は、例えばフィルムＦ全面が合焦位置の許容量Ｌｔｈの範囲内になる新たな合焦位置、若しくは画像中央部分が合焦位置の許容量Ｌｔｈの範囲内に入り、且つ該許容量Ｌｔｈの範囲内に含まれる領域が最大となる合焦位置を演算により求めて、これを合焦調整点Ｐｆとする制御が実行される。
【０１３２】
一方、合焦評価部２３３により合焦位置の許容量Ｌｔｈを越えていないと判定された場合（ステップＳ５６でＹＥＳ）、フィルムＦのカールは許容範囲内であることから、警告表示部２３４による警告表示は行われない。この場合、ステップＳ５９では「フィルムのカールは許容値の範囲内です」などといったメッセージと共に、ユーザが指定した合焦調整点Ｐｆを表示したプレビュー画像等がモニタ２０２へ表示される。そしてステップＳ６０のモード選択ステップへ移行する。
【０１３３】
この場合ユーザは、この合焦調整点Ｐｆに基づきそのまま処理を実行させるか、あえて合焦域の再選択を行うか、或いはキャンセルするかの選択肢となる。再選択を行う場合は、合焦調整点再選択アイコン５５をクリック操作し、これまで行った操作をリセットしてプレスキャンが終わった状態へ復帰させたいような場合は、キャンセルアイコン５６をクリック操作してリセットすることになる。
【０１３４】
以上説明した実施形態について、種々変形した態様での実施が可能である。例えば、図１１に示したフローチャートでは、赤外光透過率Ｔ１、コントラストＣ１及び輝度Ｅ１のデータのコンデション評価値に基づいて合焦コンデション判定を行った後にカール状態判定を行う例について説明したが、前記カール状態判定を先に実行した後に合焦コンデション判定を行うようにしてもよい。また、合焦コンデション判定及びカール状態判定のいずれかの判定のみを実行するようにすることもできる。
【０１３５】
また、図１２のフローチャートに示したように、上記実施形態では合焦コンデション判定において、コンデション評価値として赤外光透過率Ｔ１、コントラストＣ１及び輝度Ｅ１の３つの評価値に基づいて判定を行う場合について説明したが、赤外光透過率Ｔ１、コントラストＣ１及び輝度Ｅ１のいずれか１つ、或いは２つの評価値に基づき判定を行うようにしてもよい。
【０１３６】
以上、本発明の実施形態につき説明したが、上述の画像入力システム１が行うフィルム画像読取処理（画像入力システム１が行う画像入力方法）を、プログラムとして提供することもできる。このようなプログラムは、コンピュータに付属するフレキシブルディスク、ＣＤ−ＲＯＭ、ＲＯＭ、ＲＡＭおよびメモリカードなどのコンピュータ読み取り可能な記録媒体にて記録させて、プログラム製品として提供することもできる。若しくは、コンピュータに内蔵するハードディスクなどの記録媒体にて記録させて、プログラムを提供することもできる。また、ネットワークを介したダウンロードによって、プログラムを提供することもできる。
【図面の簡単な説明】
【０１３７】
【図１】本発明の実施形態にかかる画像入力システムの全体構成図である。
【図２】フィルムスキャナの外観を示す斜視図である。
【図３】実施形態にかかる画像入力システムの電気的構成を示すブロック図である。
【図４】合焦機構の一例を模式的に示す模式図である。
【図５】プレスキャン制御部の機能を説明するための機能ブロック図である。
【図６】推奨合焦域表示制御部の機能を説明するための模式図である。
【図７】合焦コンデション判定における選択表示画面の一例を示す平面図である。
【図８】カール状態情報検出時の動作を説明するための模式的な斜視図である。
【図９】カール状態判定において推奨合焦域表示制御部により生成される２次元合焦位置情報画面の一例を示す平面図である。
【図１０】本実施形態にかかる画像入力システム１よるフィルム画像読取処理の全体的なフローを示すフローチャートである。
【図１１】合焦調整（フォーカス調整）の全体的なフローを示すフローチャートである。
【図１２】合焦コンデション判定における詳細処理を示すフローチャートである。
【図１３】フィルムＦのカール状態判定における詳細処理を示すフローチャートである。
【符号の説明】
【０１３８】
１      画像入力システム
１００  フィルムスキャナ
１０４  ＣＣＤ（ラインＣＣＤ；撮像手段）
２００  ホストＰＣ
２０２  モニタ（表示手段）
２０３  入力操作部
２０５  制御部
２０６  フレームメモリ（記憶手段）
２１０  合焦制御部（合焦制御手段）
２２０  合焦調整部
２２２  コンデション評価値取得部
２２３  合焦コンデション判定部
２２４  試験光透過率判定部
２２５  コントラスト判定部
２２６  輝度判定部
２２７  コンデション総合判定部
２２８、２３４  警告表示部
２２９  推奨合焦域表示制御部
２３０  カール状態判定部
２３１  カール状態検出部
２３３  合焦評価部
２４１  プレスキャン制御部
２４２  本スキャン制御部
２４３  記憶部
４０    選択表示画面
５０    合焦位置情報画面
Ｆ      フィルム
【図１】
2006115210.tif 000003
【図２】
2006115210.tif 000004
【図３】
2006115210.tif 000005
【図４】
2006115210.tif 000006
【図５】
2006115210.tif 000007
【図６】
2006115210.tif 000008
【図７】
2006115210.tif 000009
【図８】
2006115210.tif 000010
【図９】
2006115210.tif 000011
【図１０】
2006115210.tif 000012
【図１１】
2006115210.tif 000013
【図１２】
2006115210.tif 000014
【図１３】
2006115210.tif 000015